(57)【要約】　　　（修正有）【課題】コンパクトディスクを、綴じられるべきプリント写真の妨げにならないように納めることができる工事写真帳を提供する。【解決手段】工事写真帳は、半硬質の透明又は半透明な合成樹脂材料で一体にできている表表紙２と裏表紙３及びぞれらの間の背４からなり、軟質の透明な合成樹脂材料で作られたコンパクトディスクホルダー７が、背に隣接した表表紙の基部に取付けられて表表紙の内側面に添わしておかれ、前記コンパクトディスクホルダーは、その内方側に出し入れ口１０を有する２つのポケット１１を備えている。【選択図】　　　図３
0003097600.tif 000002
【実用新案登録請求の範囲】
【請求項１】
半硬質の透明又は半透明な合成樹脂材料で一体にできていて、表表紙と裏表紙及びぞれらの間の背からなる工事写真帳であって、軟質の透明な合成樹脂材料で作られたコンパクトディスクホルダーを、背に隣接した表表紙の基部に内側端を取付けて表表紙の内側面に添わせ、前記コンパクトディスクホルダーは、その内方側に出し入れ口を有する２つのポケットを備えている、工事写真帳。
【請求項２】
前記表表紙及び裏表紙の内側面に、透明な合成樹脂シートの上下及び外縁の三方を表表紙及び裏表紙に対してシールして構成され、内方側に差し込み口を有する資料入れを設けた、請求項１に記載の工事写真帳。
【請求項３】
前記表表紙及び裏表紙の基部にそれぞれ一対の紐通し穴を設け、裏表紙の基部の紐通し穴にプラスチック製綴じ具が装着される、請求項１に記載の工事写真帳。
【考案の詳細な説明】
【０００１】
【考案の属する分野】
本考案は工事の施工状況を撮影した複数枚の写真を写真集として綴り、また写真の画像データを記憶したコンパクトディスクを添えることのできる工事写真帳に関する。
【０００２】
【従来の技術】
近年、工事の欠陥を回避する為に、工事が完了したときその施工状況を客観的に示す資料を監督官庁に提出することになっている。そのような資料は工事の最初から逐次デジタルカメラで撮影して得た画像データから作られた複数枚のプリント写真からなる写真集と、その画像データを取り込んだコンパクトディスクと、からなっている。
【０００３】
【考案が解決しようとする課題】
プリント写真は一般的にはファイルに綴じて提出されることになるがコンパクトディスクの添え方に問題があった。コンパクトディスクは比較的嵩張るためこれをファイルにコンパクトに納める工夫が必要であり、これまで種々試みられているようであるが、これと言った解決策は今まで提案されていない。
本考案の目的は、コンパクトディスクをケースごと、綴じられるべきプリント写真の妨げにならないように納めることができる工事写真帳を提供することにある。
【０００４】
【課題を解決するための手段】
本考案の上記の目的は、半硬質の透明又は半透明な合成樹脂材料で一体にできていて、表表紙と裏表紙及びぞれらの間の背からなる工事写真帳であって、軟質の透明な合成樹脂材料で作られたコンパクトディスクホルダーを、背に隣接した表表紙の基部に内側端を取付けて表表紙の内側面に添わせ、前記コンパクトディスクホルダーは、その内方側に出し入れ口を有する２つのポケットを備えている、工事写真帳を提供することによって達成される。
【０００５】
好ましい実施形態では、表表紙及び裏表紙の内側面に、透明な合成樹脂シートの上下及び外縁の三方を表表紙及び裏表紙に対してシールして構成され、且つ内方側に差し込み口を有する資料入れが設けられている。
更に好ましい実施形態では、表表紙及び裏表紙の基部にそれぞれ一対の紐通し穴が設けられ、裏表紙の基部の紐通し穴にプラスチック製綴じ具が装着される。
【０００６】
【作用】
複数枚のプリント写真はプラスチック製綴じ具を利用して工事写真帳に綴じ込み、その画像データを取り込んだコンパクトディスクはケースごとコンパクトディスクホグダーのポケットに納められる。写真帳が開いているときには、ポケットにケース付コンパクトディスクを収容したコンパクトディスクホルダーがプリント写真から完全に分けられることになり、また、写真帳が閉じられているときには、コンパクトディスクホルダーが綴られたプリント写真に上から重ねられることになる。
【０００７】
【考案の実施形態】
図面を参照して本考案による工事写真帳の実施形態をより詳細に説明すると、工事写真帳１は、図１乃至３に示すように、半硬質の透明又は半透明な合成樹脂材料で一体にできていて、表表紙２と裏表紙３及びぞれらの間の背４からなる。表表紙２及び裏表紙３には、背４に隣接した基部５を区画し、且つそれらの開閉を容易にするための折り目筋６が施されている。軟質の透明な合成樹脂材料で作られたコンパクトディスクホルダー７が表表紙２の基部５に、例えば、溶着８によって取付けられ、そして表表紙２の内側面に添わせてある。コンパクトディスクホルダー７は、図２及び３に示すように、その中央溶着線９により仕切られ、内方側に出し入れ口１０を有する２つのポケット１１を備え、またコンパクトディスクホルダー７には、ポケット１１の出し入れ口１０を閉じてコンパクトディスクがポケットから抜け落ちるのを防止するためのフラップ１２が設けられている（図３及び４参照）。フラップ１２をポケット１１に掛け止めするために、フラップ１２にほぼ半円形のスリット１２’を入れて形成され、且つポケット１１の表面に形成された長穴１１‘に引っ掛けるフック１２“が設けられる（図６参照）。
【０００８】
表表紙２及び裏表紙３の内側面には、透明な合成樹脂シート１３をその上下及び外縁の三方において表表紙及び裏表紙に対してシールし、内方側に差し込み口１４を有する資料入れ１５が設けられている。表表紙及び裏表紙の基部５にはそれぞれ一対の紐通し穴１６が設けられ、裏表紙の基部５の紐通し穴１６には、図３及び５に示すような周知のプラスチック製綴じ具１７が装着される。コンパクトディスクホルダー７には、表表紙２の紐通し穴１６と整合して明けられた紐通し穴７’が設けられている。
【０００９】
「工事写真帳に係る事項」を記載した資料１８は、例えば、表表紙２の資料入れ１５に記載面を上にして差し込まれる（図１参照）。勿論裏表紙３の資料入れ１５にも適宜資料を差し込むことが出来ることは明らかである。
【００１０】
デジタルカメラを使用して工事の最初から逐次撮影して得た画像データをパソコンとプリンターを使って作られた多数のプリント写真はプラスチック製綴じ具１７を使用して綴じ込まれる。他方、プリント写真に対応する画像データを取り込んだコンパクトディスクはケースごとコンパクトディスクホグダー７のポケット１１に出し入れ口１０から差し込まれる。コンパクトディスクホルダー７はケース付コンパクトディスクを収容していないとき、嵩張らないように薄く作られているが、軟質の合成樹脂材料で作られている為扱い易く、ケース付コンパクトディスクのポケットへの出し入れも容易である。
【００１１】
写真帳を閉じると、ポケット１１にコンパクトディスクを収容したコンパクトディスクホルダー７は、綴られたプリント写真の上に重ねられることになる。このようにして提出用の工事写真帳が出来上がる。
【００１２】
工事に関連した設計図や仕様書と言った分厚い追加の資料をプリント写真に加えて添えることもある。そのような場合には、本考案によれば、追加の資料を工事写真帳の裏表紙の背面に添えて、設計図や仕様書の綴じ穴から裏表紙３の紐通し穴１６、プリント写真の綴じ穴、ディスクホルダー７の紐通し穴７’、及び表表紙２の紐通し穴１６に紐を通して表表紙の表側で結ぶことによって、追加の資料をプリント写真と一緒に紐綴じすることができる。
【００１３】
本考案によれば、コンパクトディスクを収容するコンパクトディスクホルダーが表表紙の裏側面に添わせてあるから、工事写真帳を開いたとき、プリント写真とコンパクトディスクホルダーとを両方向に完全に分離することができ、そのため、プリント写真の余白に説明を記入しる際、凹凸がないため書き込み易く、また表表紙と裏表紙を閉じたとき、コンパクトディスクがプリント写真の上に重なるのでコンパクトディスクの収まりがよい。
【図面の簡単な説明】
【図１】本考案による工事写真帳の表面から見た全体の斜視図である。
【図２】本考案による工事写真帳を開いて内側のコンパクトディスクホルダーを見せている斜視図である。
【図３】コンパクトディスクホルダーの表面を見せている図２と実質的に同様な図である。
【図４】コンパクトディスクホルダーの概略断面図である。
【図５】本考案による工事写真帳に使用されているプリント写真のプラスチック製の綴じ具の斜視図である。
【図６】コンパクトディスクホルダーのポケットにフラップを掛け止めする構造を示す詳細図である。
【符号の説明】
１　工事写真帳
２　表表紙
３　裏表紙
４　背
５　基部
７　コンパクトディスクホルダー
１０　出し入れ口
１１　ポケット
１３　透明な合成樹脂シート
１４　差し込み口
１５　資料入れ
１６　紐通し穴
１７　綴じ具
【図１】
0003097600.tif 000003
【図２】
0003097600.tif 000004
【図３】
0003097600.tif 000005
【図４】
0003097600.tif 000006
【図５】
0003097600.tif 000007
【図６】
0003097600.tif 000008
【手続補正書】
【提出日】平成15年5月14日(2003.5.14)
【手続補正１】
【補正対象書類名】図面
【補正対象項目名】全図
【補正方法】変更
【補正の内容】
【図１】
0003097600.tif 000009
【図２】
0003097600.tif 000010
【図３】
0003097600.tif 000011
【図４】
0003097600.tif 000012
【図５】
0003097600.tif 000013
【図６】
0003097600.tif 000014